(57)【要約】【課題】  従来、車両のヘッドレストに固定していた後付け用のテレビやハンガーは製品を付け替えるたびに、ヘッドレストのステーをシートから取り外す必要があるため、製品の取替えに手間がかかっていた。また、電装品をヘッドレスト周りに複数個取り付ける場合、配線するのが大変で、また配線が多くなり外観が悪いという欠点があった。【解決手段】  本発明の車両用後付製品の取付ベースは、車両のヘッドレストのステーに取り付ける取付部を有するベース本体と、上記ベース本体に設けた、後付用の製品が着脱自在に係合される１又は２以上の係合部とよりなる。【選択図】  図１
2005067563.tif 000002
【特許請求の範囲】
【請求項１】
車両のヘッドレストのステーに取り付ける取付部を有するベース本体と、上記ベース本体に設けた、後付用の製品が着脱自在に係合される１又は２以上の係合部とよりなることを特徴とする車両用後付製品の取付ベース。
【請求項２】
上記係合部の少なくとも１つが孔であることを特徴とする請求項１記載の車両用後付製品の取付ベース。
【請求項３】
車両のヘッドレストのステーに取り付ける取付部を有するベース本体と、上記ベース本体に設けた、後付用の製品の電気接続部が接続される１又は２以上の電気接続部とよりなることを特徴とする車両用後付製品の取付ベース。
【請求項４】
上記ベース本体と後付用の製品に夫々設けた係合部に係合される接続具を更に有することを特徴とする請求項１、２または３記載の車両用後付製品の取付ベース。
【発明の詳細な説明】
【技術分野】
【０００１】
本発明は車両用後付製品の取付ベース、特に車両にハンガーやテレビ等の後付製品を取り付けるための取付ベースに関するものである。
【背景技術】
【０００２】
従来、特許文献１や特許文献２に示すように、車両のヘッドレストのステーにテレビやハンガーを固定することは知られている。
【０００３】
【特許文献１】実開平２−１３５３４８号公報（図２）
【特許文献２】特開２００２−３４５６２１号公報（図１）
【発明の開示】
【発明が解決しようとする課題】
【０００４】
然しながら、ヘッドレストのステーに様々な製品を付け替えるたびに、ヘッドレストのステーをシートから取り外す必要があるため、製品の取替えに手間がかかっていた。
【０００５】
また、電装品をヘッドレスト周りに複数個取り付ける場合、配線するのが大変で、また、その配線が複雑でその作業が困難であり、また、外観も悪いという欠点があった。
【０００６】
本発明は上記のような欠点を除くようにしたものである。
【課題を解決するための手段】
【０００７】
本発明の車両用後付製品の取付ベースは、車両のヘッドレストのステーに取り付ける取付部を有するベース本体と、上記ベース本体に設けた、後付用の製品が着脱自在に係合される１又は２以上の係合部とよりなることを特徴とする。
【０００８】
上記係合部は、少なくとも１つが孔であることを特徴とする。
【０００９】
また、本発明の車両用後付製品の取付ベースは、車両のヘッドレストのステーに取り付ける取付部を有するベース本体と、上記ベース本体に設けた、後付用の製品の電気接続部が接続される１又は２以上の電気接続部とよりなることを特徴とする。
【００１０】
また、本発明の車両用後付製品の取付ベースは、上記ベース本体と後付用の製品に夫々設けた係合部に係合される接続具を更に有することを特徴とする。
【発明の効果】
【００１１】
本発明の車両用後付製品の取付ベースによれば、シートからヘッドレストのステーを取り外すことなくステーに製品を脱着できる。
【００１２】
また、電装品の配線が容易で、配線もきれいにまとまり外観が良くなるという大きな利益がある。
【発明を実施するための最良の形態】
【００１３】
以下図面によって本発明の実施例を説明する。
【実施例１】
【００１４】
本発明の車両用後付製品の取付ベースは、図１に示すように、ボックス状のベース本体１と、このベース本体１に設けた車両のヘッドレスト２のステー３が挿通される孔４と、１又は２以上の製品固定用の雌ネジ部５と、１又は２以上の電源ターミナルまたはアンテナなどの電気接続用のソケット６と、電気配線７とよりなる。
【００１５】
本発明の車両用後付製品の取付ベースは上記のような構成であるから、シート８からヘッドレスト２のステー３を取り外し、上記ベース本体１に設けた挿通用の孔４に上記ステー３を挿入せしめ、上記ステー３を再び上記シート８に固定せしめれば、上記ベース本体１を上記ステー３に取り付けることができる。
【００１６】
この状態で図１に示すように、後付け製品がハンガー９である場合にはハンガー９の取付板１０の貫通孔１１に雄ネジ１２を挿通して、上記雌ネジ部５に螺合せしめれば、上記ハンガー９を上記ベース本体１に固定することができる。
【００１７】
また、ＬＥＤランプ１３を一端に取り付けたフレキシブル杆１４の他端に設けたプラグ１５を上記電気接続用のソケット６に嵌め込めば、上記ＬＥＤランプ１３を電気的に接続するとともにフレキシブル杆１４を介して上記ベース本体１に固定することができる。
【００１８】
また、後付製品が図２に示すようなドリンクホルダー１６である場合には、上記ドリンクホルダー１６の取付部１７の貫通孔１８に上記雄ネジ１２を挿通して、上記雌ネジ部５に螺合せしめれば、上記ドリンクホルダー１６を上記ベース本体１に固定することができる。
【００１９】
また、同様に図３に示すようなテレビモニター１９である場合には、上記テレビモニター１９の貫通孔２０に上記雄ネジ１２を挿通し、上記雌ネジ部５に螺合せしめ、上記テレビモニター１９のプラグ２１を上記電気接続用のソケット６に嵌め込めば、上記テレビモニター１９を電源に電気的に接続するとともに上記ベース本体１に固定することができる。
【００２０】
また、同様にして図４に示すように、空気清浄器２２やイオン発生器（図示せず）、芳香剤（図示せず）を取り付けたり、また、雌ネジ部５を孔とし、この孔にその先端を挿入固定できるようにした取付用アーム２３を設け、このアーム２３にハンガー９やテレビモニター１９、灰皿（図示せず）、トレイ（図示せず）等を固定するようにしてもよい。
【００２１】
なお、図５に示すように、上記雌ネジ部５に枢支部２４を有する取付具２５を設け、この取付具２５の枢支部２４に上記アーム２３の基部を傾斜自在に取り付けるようにしてもよい。
【００２２】
また、上記と同様の複数の雌ネジ部や複数の電気接続用のソケットを有する拡張用ベース（図示せず）を別途設け、この拡張用ベースを上記ベース本体１に取り付けてもよい。
【実施例２】
【００２３】
図６は本発明の第２の実施例を示し、この実施例においては、後付製品としてドリンクホルダー１６を用い、上記第１の実施例における上記ベース本体１の雌ネジ部の代わりに、ドリンクホルダー１６の側面に突出したピン２６を挿通固定する孔２７を設け、また上記ベース本体１と上記ドリンクホルダー１６の上面に溝２８，２９を設け、この溝２８，２９に夫々断面コ字状の取付具３０の脚部を挿入してベース本体１にドリンクホルダー１６を互いに連結せしめる。なお、３１は上記取付具３０の側部に設けた抜け止め用の係合凸起である。
【００２４】
この第２の実施例においても、後付製品の取付交換が容易となる。
【実施例３】
【００２５】
図７および図８は本発明の第３の実施例を示し、この実施例においては、上記第１の実施例における２つの雌ネジ部の代りに夫々アンテナソケット３２および電源ソケット３３を設け、これらに夫々テレビモニター１９のアンテナ端子３４及び電源端子３５を挿入せしめる。
【００２６】
この第３の実施例においても、後付製品の交換が容易となり、また、テレビモニターの電源プラグやアンテナ部が隠れて見た目もよくなる。
【図面の簡単な説明】
【００２７】
【図１】本発明の車両用後付製品の取付ベースの斜視図である。
【図２】車両用後付製品として取付ベースに取り付けるドリンクホルダーの斜視図である。
【図３】本発明の車両用後付製品の取付ベースの他の実施例の斜視図である。
【図４】本発明の車両用後付製品の取付ベースの更に他の実施例の斜視図である。
【図５】本発明の車両用後付製品の取付ベースの更に他の実施例の側面図である。
【図６】本発明の車両用後付製品の取付ベースの更に他の実施例の斜視図である。
【図７】本発明の車両用後付製品の取付ベースの更に他の実施例の側面図である。
【図８】本発明の車両用後付製品の取付ベースの更に他の実施例の平面図である。
【符号の説明】
【００２８】
１  ベース本体
２  ヘッドレスト
３  ステー
４  孔
５  雌ネジ部
６  ソケット
７  電気配線
８  シート
９  ハンガー
１０  取付板
１１  貫通孔
１２  雄ネジ
１３  ＬＥＤランプ
１４  杆
１５  プラグ
１６  ドリンクホルダー
１７  取付部
１８  貫通孔
１９  テレビモニター
２０  貫通孔
２１  プラグ
２２  空気清浄器
２３  アーム
２４  枢支部
２５  取付具
２６  ピン
２７  孔
２８  溝
２９  溝
３０  取付具
３１  凸起
３２  アンテナソケット
３３  電源ソケット
３４  アンテナ端子
３５  電源端子
【図１】
2005067563.tif 000003
【図２】
2005067563.tif 000004
【図３】
2005067563.tif 000005
【図４】
2005067563.tif 000006
【図５】
2005067563.tif 000007
【図６】
2005067563.tif 000008
【図７】
2005067563.tif 000009
【図８】
2005067563.tif 000010